(57)【特許請求の範囲】
【請求項１】
ユーザを識別するユーザコードを入力する第１のユーザコード入力手段と、
原稿を画像データとして読み取る読み取り手段と、
前記読み取り手段により読み取られた前記画像データを記憶する第１の記憶手段と、
前記第１の記憶手段により記憶された前記画像データを出力する出力手段と、
前記出力を中断するワンタッチジョブメモリを設定するワンタッチジョブメモリ設定手段と、
前記ワンタッチジョブメモリが設定された場合に、出力する画像データのうち部数の切れ目となる最終転写紙の作像が終了したか否か判断する中断時判断手段と、
前記中断時判断手段により、部数の切れ目となる最終転写紙の作像が終了したと判断された場合に、前記出力手段による前記画像データの出力を一時中断する出力中断手段と、
前記画像データ、該画像データの出力条件設定及び前記第１のユーザコード入力手段により入力されたユーザコードを記憶する第２の記憶手段と、
電源を遮断する電源遮断手段と、
前記遮断した電源を再投入する電源投入手段と、
前記電源再投入後、ユーザコードを入力する第２のユーザコード入力手段と、
前記第２のユーザコード入力手段により入力された前記ユーザコードと、前記第２の記憶手段により記憶されているユーザコードとが一致するか否かを判断するユーザコード判断手段と、
前記ユーザコード判断手段により一致していると判断された場合に前記第２の記憶手段により記憶された前記画像データ及び該画像データの出力条件設定を復帰させる復帰手段と、
前記復帰手段により復帰された前記画像データ及び該画像データの出力条件設定に基づいて出力する出力手段と、
を有することを特徴とする画像形成装置。
【請求項２】
ユーザを識別するユーザコードを入力する第１のユーザコード入力手段と、
原稿を画像データとして読み取る読み取り手段と、
前記読み取り手段により読み取られた前記画像データを記憶する第１の記憶手段と、
前記第１の記憶手段により記憶された前記画像データを出力する出力手段と、
前記出力を中断するワンタッチジョブメモリを設定するワンタッチジョブメモリ設定手段と、
前記ワンタッチジョブメモリが設定された場合に、出力する画像データのうち部数の切れ目となる最終転写紙の作像が終了したか否か判断する中断時判断手段と、
前記中断時判断手段により、部数の切れ目となる最終転写紙の作像が終了したと判断された場合に、前記出力手段による前記画像データの出力を一時中断する出力中断手段と、
前記画像データ、該画像データの出力条件設定及び前記第１のユーザコード入力手段により入力されたユーザコードを記憶する第２の記憶手段と、
電源を遮断する電源遮断手段と、
前記遮断した電源を再投入する電源投入手段と、
前記電源再投入後、ユーザコードを入力する第２のユーザコード入力手段と、
前記第２のユーザコード入力手段により入力された前記ユーザコードと、前記第２の記憶手段により記憶されているユーザコードとが一致するか否かを判断するユーザコード判断手段と、
前記ユーザコード判断手段により一致していると判断された場合に前記第２の記憶手段により記憶された前記画像データ及び該画像データの出力条件設定を復帰させる復帰手段と、
前記復帰手段により復帰された前記画像データ及び該画像データの出力条件設定に基づいて出力するか否かを選択する選択手段と、
前記選択手段により出力する場合に前記画像データ及び該画像データの出力条件設定に基づいて出力する出力手段と、
を有することを特徴とする画像形成装置。
【請求項３】
ユーザを識別するユーザコードを入力する第１のユーザコード入力手段と、
原稿を画像データとして読み取る読み取り手段と、
前記読み取り手段により読み取られた前記画像データを記憶する第１の記憶手段と、
前記第１の記憶手段により記憶された前記画像データを出力する出力手段と、
前記出力を中断するワンタッチジョブメモリを設定するワンタッチジョブメモリ設定手段と、
前記ワンタッチジョブメモリが設定された場合に、出力する画像データのうち部数の切れ目となる最終転写紙の作像が終了したか否か判断する中断時判断手段と、
前記中断時判断手段により、部数の切れ目となる最終転写紙の作像が終了したと判断された場合に、前記出力手段による前記画像データの出力を一時中断する出力中断手段と、
前記画像データ、該画像データの出力条件設定及び前記第１のユーザコード入力手段により入力されたユーザコードを記憶する第２の記憶手段と、
電源を遮断する電源遮断手段と、
前記遮断した電源を再投入する電源投入手段と、
前記電源再投入後、ユーザコードを入力する第２のユーザコード入力手段と、
前記第２のユーザコード入力手段により入力された前記ユーザコードと、前記第２の記憶手段により記憶されているユーザコードとが一致するか否かを判断するユーザコード判断手段と、
前記ユーザコード判断手段により一致していると判断された場合に前記第２の記憶手段により記憶された前記画像データ及び該画像データの出力条件設定を復帰させる復帰手段と、
前記復帰手段により復帰された前記画像データ及び該画像データの出力条件設定に基づいて一部出力する第１の出力手段と、
前記復帰手段により復帰された前記画像データ及び該画像データの出力条件設定に基づいて出力するか否かを選択する選択手段と、
前記選択手段により出力する場合に前記画像データ及び該画像データの出力条件設定に基づいて出力する第２の出力手段と、
を有することを特徴とする画像形成装置。
【請求項４】
前記第２の記憶手段は、不揮発性の記憶媒体により構成されることを特徴とする請求項１から３のいずれか１項に記載の画像形成装置。
【請求項５】
ユーザを識別するユーザコードを入力する第１のユーザコード入力工程と、
原稿を画像データとして読み取る読み取り工程と、
前記読み取り工程により読み取られた前記画像データを記憶する第１の記憶工程と、
前記第１の記憶工程により記憶された前記画像データを出力する出力工程と、
前記出力を中断するワンタッチジョブメモリを設定するワンタッチジョブメモリ設定工程と、
前記ワンタッチジョブメモリが設定された場合に、出力する画像データのうち部数の切れ目となる最終転写紙の作像が終了したか否か判断する中断時判断工程と、
前記中断時判断工程により、部数の切れ目となる最終転写紙の作像が終了したと判断された場合に、前記出力工程による前記画像データの出力を一時中断する出力中断工程と、
前記画像データ、該画像データの出力条件設定及び前記第１のユーザコード入力工程により入力されたユーザコードを不揮発性メモリに記憶する第２の記憶工程と、
前記第２の記憶工程により記憶した後、電源を遮断する電源遮断工程と、
前記遮断した電源を再投入する電源投入工程と、
前記電源再投入後、ユーザコードを入力する第２のユーザコード入力工程と、
前記第２のユーザコード入力工程により入力された前記ユーザコードと、前記第２の記憶工程により記憶されているユーザコードとが一致するか否かを判断するユーザコード判断工程と、
前記ユーザコード判断工程により一致していると判断された場合に前記第２の記憶工程により記憶された前記画像データ及び該画像データの出力条件設定を復帰させる復帰工程と、
前記復帰工程により復帰された前記画像データ及び該画像データの出力条件設定に基づいて出力する出力工程と、
を有することを特徴とする画像形成方法。
【請求項６】
ユーザを識別するユーザコードを入力する第１のユーザコード入力工程と、
原稿を画像データとして読み取る読み取り工程と、
前記読み取り工程により読み取られた前記画像データを記憶する第１の記憶工程と、
前記第１の記憶工程により記憶された前記画像データを出力する出力工程と、
前記出力を中断するワンタッチジョブメモリを設定するワンタッチジョブメモリ設定工程と、
前記ワンタッチジョブメモリが設定された場合に、出力する画像データのうち部数の切れ目となる最終転写紙の作像が終了したか否か判断する中断時判断工程と、
前記中断時判断工程により、部数の切れ目となる最終転写紙の作像が終了したと判断された場合に、前記出力工程による前記画像データの出力を一時中断する出力中断工程と、
前記画像データ、該画像データの出力条件設定及び前記第１のユーザコード入力工程により入力されたユーザコードを不揮発性メモリに記憶する第２の記憶工程と、
前記第２の記憶工程により記憶した後、電源を遮断する電源遮断工程と、
前記遮断した電源を再投入する電源投入工程と、
前記電源再投入後、ユーザコードを入力する第２のユーザコード入力工程と、
前記第２のユーザコード入力工程により入力された前記ユーザコードと、前記第２の記憶工程により記憶されているユーザコードとが一致するか否かを判断するユーザコード判断工程と、
前記ユーザコード判断工程により一致していると判断された場合に前記第２の記憶工程により記憶された前記画像データ及び該画像データの出力条件設定を復帰させる復帰工程と、
前記復帰工程により復帰された前記画像データ及び該画像データの出力条件設定に基づいて出力するか否かを選択する選択工程と、
前記選択工程により出力する場合に前記画像データ及び該画像データの出力条件設定に基づいて出力する出力工程と、
を有することを特徴とする画像形成方法。
【請求項７】
ユーザを識別するユーザコードを入力する第１のユーザコード入力工程と、
原稿を画像データとして読み取る読み取り工程と、
前記読み取り工程により読み取られた前記画像データを記憶する第１の記憶工程と、
前記第１の記憶工程により記憶された前記画像データを出力する出力工程と、
前記出力を中断するワンタッチジョブメモリを設定するワンタッチジョブメモリ設定工程と、
前記ワンタッチジョブメモリが設定された場合に、出力する画像データのうち部数の切れ目となる最終転写紙の作像が終了したか否か判断する中断時判断工程と、
前記中断時判断工程により、部数の切れ目となる最終転写紙の作像が終了したと判断された場合に、前記出力工程による前記画像データの出力を一時中断する出力中断工程と、
前記画像データ、該画像データの出力条件設定及び前記第１のユーザコード入力工程により入力されたユーザコードを不揮発性メモリに記憶する第２の記憶工程と、
前記第２の記憶工程により記憶した後、電源を遮断する電源遮断工程と、
前記遮断した電源を再投入する電源投入工程と、
前記電源再投入後、ユーザコードを入力する第２のユーザコード入力工程と、
前記第２のユーザコード入力工程により入力された前記ユーザコードと、前記第２の記憶工程により記憶されているユーザコードとが一致するか否かを判断するユーザコード判断工程と、
前記ユーザコード判断工程により一致していると判断された場合に前記第２の記憶工程により記憶された前記画像データ及び該画像データの出力条件設定を復帰させる復帰工程と、
前記復帰工程により復帰された前記画像データ及び該画像データの出力条件設定に基づいて一部出力する第１の出力工程と、
前記復帰工程により復帰された前記画像データ及び該画像データの出力条件設定に基づいて出力するか否かを選択する選択工程と、前記選択手段により出力する場合に前記画像データ及び該画像データの出力条件設定に基づいて出力する第２の出力工程と、
を有することを特徴とする画像形成方法。
【発明の詳細な説明】
【０００１】
【発明の属する技術分野】
本発明は、画像形成装置及びその方法に関し、特にデジタル複写機およびプリンタ等の画像形成装置に関する。
【０００２】
【従来の技術】
従来例１として、特開平５−１１２０６０号公報に開示される画像記録装置がある。この画像記録装置は、電源ＯＦＦ時に未出力の画像があった場合でも、電源ＯＦＦ時の状態から処理を継続させることを可能とするものである。
【０００３】
従来例２として、特開平７−１６２６２４号公報に開示されるデジタル画像形成装置がある。このデジタル画像形成装置は、画像出力動作時において、電源スイッチをＯＦＦにして処理すべきトラブルが発生した場合に、画像データを電源スイッチＯＦＦ時に一旦メモリに記憶させ、トラブルの処理終了後に画像出力動作を再開させるものである。
【０００４】
上述される２つの従来例においては、電源遮断の指示を受けた際に、画像出力に係わるデータを不揮発性メモリに退避（記憶）させ、電源投入時あるいはトラブルの解消処理終了後に不揮発性メモリからデータを復帰させ、画像出力を行うものであった。
【０００５】
また、ジョブを中断し、電源をＯＦＦにしても、次回電源投入時にモード設定が復帰されていて、ジョブの再開が可能である画像形成装置も知られている。
【０００６】
【発明が解決しようとする課題】
近年のデジタル画像形成装置においては、ハードディスク等の大容量の記憶媒体を搭載したものがあり、大量の画像データを記憶することが可能となっている。また、デジタル画像形成装置の高速化／大量層化により、１ジョブのコピー枚数の増加やコピー時間の増加が発生している。そのため、原稿の手離れを考慮した原稿先読み動作、メモリリテンション動作、複数の予約動作を可能としたものが存在する。しかし、原稿の手離れを早くしたとしても、出力動作が勤務時間中に終了しないといった場合もあり得る。
【０００７】
このため、オフィスでは原稿の手離れを良くするとともに、動作中の画像出力動作を中断させ、電源を遮断した場合でも、次の電源投入時に中断された画像出力を再開させたという要望がある。
【０００８】
本発明は、電源遮断を指示したオペレータと、電源投入を行ったオペレータとが異なる場合や、電源ＯＦＦの時間が長時間になり、どのジョブが中断されているのかわからない場合においても、適切な画像出力動作が再開できる画像形成装置及びその方法を提供することを目的とする。
【０００９】
【課題を解決するための手段】
前記課題を解決するために、請求項１記載の発明は、ユーザを識別するユーザコードを入力する第１のユーザコード入力手段と、原稿を画像データとして読み取る読み取り手段と、前記読み取り手段により読み取られた前記画像データを記憶する第１の記憶手段と、前記第１の記憶手段により記憶された前記画像データを出力する出力手段と、前記出力を中断するワンタッチジョブメモリを設定するワンタッチジョブメモリ設定手段と、前記ワンタッチジョブメモリが設定された場合に、出力する画像データのうち部数の切れ目となる最終転写紙の作像が終了したか否か判断する中断時判断手段と、前記中断時判断手段により、部数の切れ目となる最終転写紙の作像が終了したと判断された場合に、前記出力手段による前記画像データの出力を一時中断する出力中断手段と、前記画像データ、該画像データの出力条件設定及び前記第１のユーザコード入力手段により入力されたユーザコードを記憶する第２の記憶手段と、電源を遮断する電源遮断手段と、前記遮断した電源を再投入する電源投入手段と、前記電源再投入後、ユーザコードを入力する第２のユーザコード入力手段と、前記第２のユーザコード入力手段により入力された前記ユーザコードと、前記第２の記憶手段により記憶されているユーザコードとが一致するか否かを判断するユーザコード判断手段と、前記ユーザコード判断手段により一致していると判断された場合に前記第２の記憶手段により記憶された前記画像データ及び該画像データの出力条件設定を復帰させる復帰手段と、前記復帰手段により復帰された前記画像データ及び該画像データの出力条件設定に基づいて出力する出力手段と、を有することを特徴とする。
【００１０】
請求項２記載の発明は、ユーザを識別するユーザコードを入力する第１のユーザコード入力手段と、原稿を画像データとして読み取る読み取り手段と、前記読み取り手段により読み取られた前記画像データを記憶する第１の記憶手段と、前記第１の記憶手段により記憶された前記画像データを出力する出力手段と、前記出力を中断するワンタッチジョブメモリを設定するワンタッチジョブメモリ設定手段と、前記ワンタッチジョブメモリが設定された場合に、出力する画像データのうち部数の切れ目となる最終転写紙の作像が終了したか否か判断する中断時判断手段と、前記中断時判断手段により、部数の切れ目となる最終転写紙の作像が終了したと判断された場合に、前記出力手段による前記画像データの出力を一時中断する出力中断手段と、前記画像データ、該画像データの出力条件設定及び前記第１のユーザコード入力手段により入力されたユーザコードを記憶する第２の記憶手段と、電源を遮断する電源遮断手段と、前記遮断した電源を再投入する電源投入手段と、前記電源再投入後、ユーザコードを入力する第２のユーザコード入力手段と、前記第２のユーザコード入力手段により入力された前記ユーザコードと、前記第２の記憶手段により記憶されているユーザコードとが一致するか否かを判断するユーザコード判断手段と、前記ユーザコード判断手段により一致していると判断された場合に前記第２の記憶手段により記憶された前記画像データ及び該画像データの出力条件設定を復帰させる復帰手段と、前記復帰手段により復帰された前記画像データ及び該画像データの出力条件設定に基づいて出力するか否かを選択する選択手段と、前記選択手段により出力する場合に前記画像データ及び該画像データの出力条件設定に基づいて出力する出力手段と、を有することを特徴とする。
【００１１】
請求項３記載の発明は、ユーザを識別するユーザコードを入力する第１のユーザコード入力手段と、原稿を画像データとして読み取る読み取り手段と、前記読み取り手段により読み取られた前記画像データを記憶する第１の記憶手段と、前記第１の記憶手段により記憶された前記画像データを出力する出力手段と、前記出力を中断するワンタッチジョブメモリを設定するワンタッチジョブメモリ設定手段と、前記ワンタッチジョブメモリが設定された場合に、出力する画像データのうち部数の切れ目となる最終転写紙の作像が終了したか否か判断する中断時判断手段と、前記中断時判断手段により、部数の切れ目となる最終転写紙の作像が終了したと判断された場合に、前記出力手段による前記画像データの出力を一時中断する出力中断手段と、前記画像データ、該画像データの出力条件設定及び前記第１のユーザコード入力手段により入力されたユーザコードを記憶する第２の記憶手段と、電源を遮断する電源遮断手段と、前記遮断した電源を再投入する電源投入手段と、前記電源再投入後、ユーザコードを入力する第２のユーザコード入力手段と、前記第２のユーザコード入力手段により入力された前記ユーザコードと、前記第２の記憶手段により記憶されているユーザコードとが一致するか否かを判断するユーザコード判断手段と、前記ユーザコード判断手段により一致していると判断された場合に前記第２の記憶手段により記憶された前記画像データ及び該画像データの出力条件設定を復帰させる復帰手段と、前記復帰手段により復帰された前記画像データ及び該画像データの出力条件設定に基づいて一部出力する第１の出力手段と、前記復帰手段により復帰された前記画像データ及び該画像データの出力条件設定に基づいて出力するか否かを選択する選択手段と、前記選択手段により出力する場合に前記画像データ及び該画像データの出力条件設定に基づいて出力する第２の出力手段と、を有することを特徴とする。
【００１２】
請求項４記載の発明は、請求項１から３のいずれか１項に記載の発明において、第２の記憶手段は、不揮発性の記憶媒体により構成されることを特徴とする。
【００１３】
請求項５記載の発明は、ユーザを識別するユーザコードを入力する第１のユーザコード入力工程と、原稿を画像データとして読み取る読み取り工程と、前記読み取り工程により読み取られた前記画像データを記憶する第１の記憶工程と、前記第１の記憶工程により記憶された前記画像データを出力する出力工程と、前記出力を中断するワンタッチジョブメモリを設定するワンタッチジョブメモリ設定工程と、前記ワンタッチジョブメモリが設定された場合に、出力する画像データのうち部数の切れ目となる最終転写紙の作像が終了したか否か判断する中断時判断工程と、前記中断時判断工程により、部数の切れ目となる最終転写紙の作像が終了したと判断された場合に、前記出力工程による前記画像データの出力を一時中断する出力中断工程と、前記画像データ、該画像データの出力条件設定及び前記第１のユーザコード入力工程により入力されたユーザコードを不揮発性メモリに記憶する第２の記憶工程と、前記第２の記憶工程により記憶した後、電源を遮断する電源遮断工程と、前記遮断した電源を再投入する電源投入工程と、前記電源再投入後、ユーザコードを入力する第２のユーザコード入力工程と、前記第２のユーザコード入力工程により入力された前記ユーザコードと、前記第２の記憶工程により記憶されているユーザコードとが一致するか否かを判断するユーザコード判断工程と、前記ユーザコード判断工程により一致していると判断された場合に前記第２の記憶工程により記憶された前記画像データ及び該画像データの出力条件設定を復帰させる復帰工程と、前記復帰工程により復帰された前記画像データ及び該画像データの出力条件設定に基づいて出力する出力工程と、を有することを特徴とする。
【００１４】
請求項６記載の発明は、ユーザを識別するユーザコードを入力する第１のユーザコード入力工程と、原稿を画像データとして読み取る読み取り工程と、前記読み取り工程により読み取られた前記画像データを記憶する第１の記憶工程と、前記第１の記憶工程により記憶された前記画像データを出力する出力工程と、前記出力を中断するワンタッチジョブメモリを設定するワンタッチジョブメモリ設定工程と、前記ワンタッチジョブメモリが設定された場合に、出力する画像データのうち部数の切れ目となる最終転写紙の作像が終了したか否か判断する中断時判断工程と、前記中断時判断工程により、部数の切れ目となる最終転写紙の作像が終了したと判断された場合に、前記出力工程による前記画像データの出力を一時中断する出力中断工程と、前記画像データ、該画像データの出力条件設定及び前記第１のユーザコード入力工程により入力されたユーザコードを不揮発性メモリに記憶する第２の記憶工程と、前記第２の記憶工程により記憶した後、電源を遮断する電源遮断工程と、前記遮断した電源を再投入する電源投入工程と、前記電源再投入後、ユーザコードを入力する第２のユーザコード入力工程と、前記第２のユーザコード入力工程により入力された前記ユーザコードと、前記第２の記憶工程により記憶されているユーザコードとが一致するか否かを判断するユーザコード判断工程と、前記ユーザコード判断工程により一致していると判断された場合に前記第２の記憶工程により記憶された前記画像データ及び該画像データの出力条件設定を復帰させる復帰工程と、前記復帰工程により復帰された前記画像データ及び該画像データの出力条件設定に基づいて出力するか否かを選択する選択工程と、前記選択工程により出力する場合に前記画像データ及び該画像データの出力条件設定に基づいて出力する出力工程と、を有することを特徴とする。
【００１５】
請求項７記載の発明は、ユーザを識別するユーザコードを入力する第１のユーザコード入力程と、原稿を画像データとして読み取る読み取り工程と、前記読み取り工程により読み取られた前記画像データを記憶する第１の記憶工程と、前記第１の記憶工程により記憶された前記画像データを出力する出力工程と、前記出力を中断するワンタッチジョブメモリを設定するワンタッチジョブメモリ設定工程と、前記ワンタッチジョブメモリが設定された場合に、出力する画像データのうち部数の切れ目となる最終転写紙の作像が終了したか否か判断する中断時判断工程と、前記中断時判断工程により、部数の切れ目となる最終転写紙の作像が終了したと判断された場合に、前記出力工程による前記画像データの出力を一時中断する出力中断工程と、前記画像データ、該画像データの出力条件設定及び前記第１のユーザコード入力工程により入力されたユーザコードを不揮発性メモリに記憶する第２の記憶工程と、前記第２の記憶工程により記憶した後、電源を遮断する電源遮断工程と、前記遮断した電源を再投入する電源投入工程と、前記電源再投入後、ユーザコードを入力する第２のユーザコード入力工程と、前記第２のユーザコード入力工程により入力された前記ユーザコードと、前記第２の記憶工程により記憶されているユーザコードとが一致するか否かを判断するユーザコード判断工程と、前記ユーザコード判断工程により一致していると判断された場合に前記第２の記憶工程により記憶された前記画像データ及び該画像データの出力条件設定を復帰させる復帰工程と、前記復帰工程により復帰された前記画像データ及び該画像データの出力条件設定に基づいて一部出力する第１の出力工程と、前記復帰工程により復帰された前記画像データ及び該画像データの出力条件設定に基づいて出力するか否かを選択する選択工程と、前記選択手段により出力する場合に前記画像データ及び該画像データの出力条件設定に基づいて出力する第２の出力工程と、を有することを特徴とする。
【００１６】
（作用）
請求項１及び請求項５記載の発明によれば、ジョブ開始時に入力したユーザコードを画像出力に係わるデータとともに不揮発メモリに退避させ電源遮断を行い、電源投入時に入力されたユーザコードが退避させておいたものと一致する場合のみ、不揮発メモリから画像出力に係わるデータを復帰させ、操作部にジョブの設定内容および進捗状態を表示させ、画像出力動作を再開させることにより、ジョブのユーザ管理を正しく行うことが可能である。
【００１７】
請求項２及び請求項６記載の発明によれば、ジョブ開始時に入力したユーザコードを画像出力に係わるデータとともに不揮発メモリに退避させ電源遮断を行い、電源投入時に入力されたユーザコードが退避させておいたものと一致する場合のみ、不揮発メモリから画像出力に係わるデータを復帰させ、操作部にジョブの設定内容および進捗状態を表示させ、画像出力動作を再開させるか否かを選択させることにより、ジョブのユーザ管理を正しく行うとともに、ユーザの必要な時に画像出力動作を行うことが可能である。
【００１８】
請求項３及び請求項７記載の発明によれば、ジョブ開始時に入力したユーザコードを画像出力に係わるデータとともに不揮発メモリに退避させ電源遮断を行い、電源投入時に入力されたユーザコードが退避させておいたものと一致する場合のみ、不揮発メモリから画像出力に係わるデータを復帰させ、操作部にジョブの設定内容および進捗状態を表示させ、試しコピーを許可するとともに、画像出力動作を再開させるか否かを選択させることにより、ジョブのユーザ管理を正しく行うとともに、ジョブ内容の確認とユーザの必要な時に画像出力動作を行うことが可能である。
【００１９】
請求項４記載の発明によれば、画像データ及び該画像データの出力条件設定を不揮発性メモリに記憶することにより、電源を遮断している間においても、画像データ及び出力条件設定などのデータが失われることがない。
【００２０】
【発明の実施の形態】
次に、添付図面を参照して本発明の実施形態である画像形成装置を詳細に説明する。図１から図１８を参照すると、本発明による画像形成装置の実施の形態が示されている。
【００２１】
図１は、本発明の実施形態である画像形成装置のネットワークシステムにおける画像形成装置の構成を示す概略断面図である。また、図２は、本発明の実施形態における画像形成装置の操作部を示す図である。以下、図１、図２を用いて本発明の実施形態である画像形成装置のネットワークシステムの概略構成を説明する。
【００２２】
自動原稿送り装置（以後ＡＤＦ）１にある原稿台２上に原稿の画像面を上にして載置された原稿束は、図示されない操作部２００（図２参照）上のプリントキーが押下されると、一番下の原稿から給紙ローラ３、給送ベルト４によってコンタクトガラス６上の所定の位置に給送される。画像読み取り部５０によってコンタクトガラス６上に載置された原稿の画像データが読み取られた原稿は、給送ベルト４及び排送ローラ５によって排出される。さらに、原稿セット検知センサ７にて原稿台２上に次の原稿が有ることを検知した場合、前原稿と同様にコンタクトガラス６上に給送される。給紙ローラ３、給送ベルト４、排送ローラ５は、モータによって駆動される。
【００２３】
第１トレイ８、第２トレイ９、第３トレイ１０に積載された転写紙は、各々第１給紙ユニット１１、第２給紙ユニット１２、第３給紙ユニット１３によって給紙され、縦搬送ユニット１４によって感光体１５に当接する位置まで搬送される。画像読み取り部５０にて読み込まれた画像データは、画像書き込み部５７からのレーザによって感光体１５に書き込まれ、現像ユニット２７を通過することによってトナー像が形成される。
【００２４】
転写紙は、感光体１５の回転と等速で搬送ベルト１６によって搬送されながら、感光体１５上のトナー像が転写される。その後、定着ユニット１７にて画像を定着させ、排紙ユニット１８によって後処理装置のフィニシャ１００に排出される。
【００２５】
後処理装置であるフィニシャ１００は、本体の排紙ユニット１８によって搬送された転写紙をスタッカ搬送ローラ１０２方向と、ステープル処理部の方向へ導くことができる。分岐偏向板１０１を上に切り替えることにより、スタッカ排紙ローラ１０３を経由してスタッカトレイ１０４側に排紙することができる。また、分岐偏向板１０１を下方向に切り替えることで、搬送ローラ１０５、排紙ローラ１０７を経由して、ステープルトレイ１０８に搬送することができる。ステープルトレイ１０８に積載された転写紙は、一枚排紙される毎に紙揃え用の落下ストッパ１０９によって、紙端面が揃えられ、一部のコピー完了と共にステープラ１０６によって綴じられる。ステープラ１０６でステープル処理された転写紙群は自重によって、ステープルトレイ１０８に収納される。
【００２６】
一方、スタッカトレイ１０４は、前後に移動可能な排紙トレイである。前後に移動可能なスタッカトレイ１０４は、原稿毎、あるいは、画像メモリによってソーティングされたコピー部毎に前後に移動し、簡易的に排出されてくる複写済用紙を仕分けるものである。
【００２７】
転写紙の両面に画像を作像する場合は、第１の給紙トレイ８、第２の給紙トレイ９、第３の給紙トレイ１０のそれぞれから給紙され、作像された転写紙をスタッカトレイ１０４側に導かないで、経路切り替えのための分岐爪１１２を上側にセットすることで、一旦両面給紙ユニット１１１にストックする。
【００２８】
その後、両面給紙ユニット１１１にストックされた転写紙は、再び感光体１５に作像されたトナー画像を転写するために、両面給紙ユニット１１１から再給紙され、経路切り替えのための分岐爪１１２を下側にセットし、スタッカトレイ１０４に導く。このように転写紙の両面に画像を作成する場合において両面給紙ユニット１１１は使用される。
【００２９】
感光体１５、搬送ベルト１６、定着ユニット１７、排紙ユニット１８、現像ユニット２７は、メインモータ２５によって駆動され、各給紙ユニット１１〜１３は、メインモータ２５の駆動を各々給紙クラッチによって伝達駆動される。縦搬送ユニット１４は、メインモータ２５の駆動を中間クラッチによって伝達駆動される。
【００３０】
図３は、操作部２００の液晶タッチパネル２０１の表示例を示した図である。オペレータが液晶タッチパネル２０１に表示されたキーにタッチすることで、選択された機能を示すキーが黒く反転する。また、機能の詳細を指定しなければならない場合、例えば変倍であれは変倍値等は、キーにタッチすることで、詳細機能の設定画面が表示される。このように液晶タッチパネル２０１は、ドット表示器を使用しているため、その時の最適な表示をグラフィカルに行うことが可能である。
【００３１】
図３において、操作画面には、左上に図示されるように「コピーできます」等のメッセージが表示されるメッセージエリア２１１、セットした枚数を表示するコピー枚数表示部２１２、その下の画像濃度を自動的に調整する自動濃度キー２１３、転写紙を自動的に選択する自動用紙選択キー２１４、倍率を等倍にセットする等倍キー２１５、コピーを１部ずつページ順にそろえる処理を指定するソートキー２１６、コピーをページ毎に仕分けする処理を指定するスタックキー２１７、ソート処理されたものを一部ずつ綴じる処理を指定するステープルキー２１８、スタンプや日付やページ等の印字を設定する印字キー２１９、とじ代モード等を設定する消去／移動キー２２０、両面モードを設定する両面キー２２１、拡大／縮小倍率をセットする変倍キー２２２が設置されている。選択されているモードは、キー部分が網掛けで表示されている。
【００３２】
図１を用いて、本発明における画像読み取り手段、および画像を記録面上に潜像形成するまでの動作を説明する。潜像とは、感光体面上に画像を光情報に変換して照射することにより生じる電位分布である。
【００３３】
画像読み取り部５０は、原稿を載置するコンタクトガラス６と、光学走査系とで構成されており、光学走査系は、露光ランプ５１と、第１ミラー５２と、レンズ５３と、ＣＣＤイメージセンサ５４とにより構成されている。露光ランプ５１及び第１ミラー５２は、図示しない第１キャリッジ上に固定され、第２ミラー５５及び第３ミラー５６は、図示しない第２キャリッジ上に固定されている。原稿の画像データを読み取るときには、光路長が変わらないように、第１キャリッジと第２キャリッジとが２対１の相対速度で機械的に走査される。この光学走査系は、図示しないスキャナ駆動モータにて駆動される。原稿の画像データは、ＣＣＤイメージセンサ５４によって読み取られ、電気信号に変換されて処理される。レンズ５３及びＣＣＤイメージセンサ５４を図１において左右方向に移動させることにより、画像倍率が変わる。即ち、指定された倍率に応じてレンズ５３及びＣＣＤイメージセンサ５４の左右方向に位置が設定される。
【００３４】
画像書き込み部５７は、レーザ出力ユニット５８と、結像レンズ５９と、ミラー６０とで構成され、レーザ出力ユニット５８の内部には、レーザ光源であるレーザダイオード及びモータによって高速で定速回転する回転多面鏡（ポリゴンミラー）が備わっている。
【００３５】
レーザ出力ユニット５８より照射されるレーザ光は、定速回転するポリゴンミラーで偏向され、結像レンズ５９を通り、ミラー６０で折り返され、感光体１５面上に集光結像する。
【００３６】
偏向されたレーザ光は、感光体１５が回転する方向と直行する方向（主走査方向）に露光走査され、後述する画像処理部のセレクタより出力された画像信号のライン単位の記録を行う。感光体１５の回転速度と記録密度に対応した所定の周期で主走査を繰り返すことによって、感光体１５面上に画像（静電潜像）が形成される。
【００３７】
上述のように、画像書き込み部５７から出力されるレーザ光が、画像作像系の感光体１５に照射される。図示しないが感光体１５の一端近傍のレーザビームを照射される位置に、主走査同期信号を発生するビームセンサが配置されている。この主走査同期信号をもとに主走査方向の画像記録開始タイミングの制御、および後述する画像信号の入出力を行うための制御信号の生成を行う。
【００３８】
本発明の実施形態における画像処理部（画像読み取り部と画像書き込み部）の構成について、図４を用いて説明する。露光ランプ５１により射出された光は、原稿面を照射し、原稿面からの反射光をＣＣＤイメージセンサ５４にて結像レンズ（図示せず）により結像し、受光して光電変換して、Ａ／Ｄコンバータ６１にてデジタル信号に変換される。デジタル信号に変換された画像信号は、シェーディング補正６２で補正された後、ＭＴＦγ補正６３にてＭＴＦ補正、γ補正等がなされる。セレクタ６４では、画像信号の送り先を、変倍部７１または、画像メモリコントローラ６５への切り替えが行われる。変倍部７１を経由した画像信号は変倍率に合わせて拡大縮小され、画像書き込み部５７に送られる。画像メモリコントローラ６５とセレクタ６４との間は、双方向に画像信号を入出力可能な構成となっている。
【００３９】
図４には特に明示していないが、画像処理部（ＩＰＵ）には、画像読み取り部５０から入力される画像データ以外にも外部から供給される画像データ（例えばパーソナルコンピュータ等のデータ処理装置から入力されるデータ）も処理できるように複数のデータの入出力の選択を行う機能を有している。
【００４０】
画像メモリコントローラ６５への設定や、画像読み取り部５０、画像書き込み部５７の制御を行うＣＰＵ６８、及びそのプログラムやデータを格納するＲＯＭ６９、ＲＡＭ７０を備えている。さらにＣＰＵ６８は、メモリコントローラ６５を介して、画像メモリ６６のデータの書き込みおよび読み出しが行える。
【００４１】
図５を用いて、メモリコントローラと、画像メモリの詳細を説明する。
メモリコントローラは、入力データセレクタ５０１と、画像合成５０２と、５次圧縮／伸長５０３と、出力データセレクタ５０４と、２次圧縮／伸長５０５と、を有して構成される。各ブロックへの制御データの設定はＣＰＵ６８により行われる。図４におけるアドレスおよびデータは、画像データを示しており、ＣＰＵ６８に接続されるデータ、アドレスは図示していない。
【００４２】
図５において、画像メモリは、１次および２次記憶装置（５０６、５０７）からなる。１次記憶装置５０６は、入力画像データの転送速度に略同期してメモリへのデータ書き込み、または画像出力時のメモリからのデータ読み出しが高速に行えるように、例えばＤＲＡＭ等の高速アクセスが可能なメモリを使用する。また、１次記憶装置５０６は、処理を行う画像データの大きさにより複数のエリアに分割して画像データの入出力を同時に実行可能な構成（メモリコントローラとのインタフェース部）をとっている。各分割したエリアに画像データの入力、出力をそれぞれ並列に実行可能にするためにメモリコントローラとのインタフェースにリード用とライト用の二組のアドレス・データ線で接続されている。これによりエリア１に画像を入力（ライト）する間にエリア２より画像を出力（リード）するという動作が可能になる。
【００４３】
２次記憶装置５０７は、入力された画像の合成、ソーティングを行うためにデータを保存しておく大容量のメモリである。１次、２次記憶装置（５０６、５０７）とも、高速アクセス可能な素子を使用すれば、１次、２次の区別なくデータの処理が行え、制御も比較的簡単になるが、ＤＲＡＭ等の素子は高価なため、２次記憶装置にはアクセス速度はそれほど速くないが、安価で大容量の記録媒体を使用し、入出力データの処理を１次記憶装置５０６を介して行う構成になっている。
【００４４】
上述のような画像メモリの構成を採用することにより、大量の画像データの入出力、保存、加工等の処理が可能な画像形成装置を安価、かつ比較的簡単な構成で実現することが可能になる。
【００４５】
ここで、図６を用いて、セレクタ６４における１ページ分の画像信号について説明する。／ＦＧＡＴＥは、１ページの画像データの副走査方向の有効期間を表している。／ＬＳＹＮＣは、１ライン毎の主走査同期信号であり、この信号が立ち上がった後の所定クロックで、画像信号が有効となる。主走査方向の画像信号が有効であることを示す信号が、／ＬＧＡＴＥである。これらの信号は、画素クロックＶＣＬＫに同期しており、ＶＣＬＫの１周期に対し１画素のデータが送られてくる。画像処理部（ＩＰＵ）は、画像入力、出力それぞれに対して個別の／ＦＧＡＴＥ、／ＬＳＹＮＣ、／ＬＧＡＴＥ、ＶＣＬＫの発生機構を有しており、様々な画像入出力の組み合わせが実現可能になる。
【００４６】
次に、メモリコントローラ６５の動作の概略を図５を参照して説明する。
【００４７】
＜１＞画像入力（画像メモリへの保存）
入力データセレクタ５０１は複数のデータの内から、画像メモリ（１次記憶装置５０６）への書き込みを行う画像データの選択を行う。入力データセレクタ５０１によって選択された画像データは、画像合成５０２に供給され、既に画像メモリに保存されているデータとの合成を行う。画像合成５０２によって処理された画像データは、１次圧縮／伸長５０３によりデータを圧縮し、圧縮後のデータを１次記憶装置５０６に書き込む。１次記憶装置５０６に書き込まれたデータは、必要に応じて２次圧縮／伸長５０５で更に圧縮を行った後に２次記憶装置５０７に保存される。
【００４８】
＜２＞画像出力（画像メモリからの読み出し）
画像出力時は、１次記憶装置５０６に記憶されている画像データの読み出しを行う。出力対象となる画像が１次記憶装置５０６に格納されている場合には、１次圧縮／伸長５０３で１次記憶装置５０６の画像データの伸長を行い、伸長後のデータ、もしくは伸長後のデータと入力データとの画像合成を行った後のデータを出力データセレクタ５０４で選択し、出力する。
【００４９】
画像合成５０２は、１次記憶装置５０６のデータと、入力データとの合成（画像データの位相調整機能を有する）、合成後のデータの出力先の選択（画像出力、１次記憶装置５０６へのライトバック、両方の出力先への同時出力も可能）等の処理を行う。
【００５０】
出力対象となる画像が１次記憶装置５０６に格納されていない場合には、２次記憶装置５０７に格納されている出力対象画像データを２次圧縮／伸長５０５で伸長を行い、伸長後のデータを１次記憶装置５０６に書き込んでから、以下、上述の画像出力動作を行う。
【００５１】
この実施例で説明している動作予約とは、ここでは、複写機において定着の加熱中等の時はコピー動作が開始できないが、モード設定及び原稿のセットを終了させ予約することにより、定着加熱終了後、コピー動作可になった時点で自動的にコピー動作を開始する機能のことである。この実施例では、定着加熱中を動作予約可能対象としているが、これ以外にも時間の経過と共に動作可能になるものについては、対象になる資格がある。ＬＣＴトレイ上昇時間、ポリゴンモータ回転安定時間、トナー補給動作中等考えられる。
【００５２】
図７は、本発明の実施形態である画像形成装置の第１のハード構成例を示すブロック図である。図７に示されるハード構成は、画像読み取り部５０と、画像書き込み部５７と、システムコントローラ４０６と、メモリユニット４０９と、利用者制限器機４０３と、人体検知センサ４０４と、遠隔診断装置（ＣＳＳ）４０８と、時計４０７と、から構成しているが、メモリユニット４０９は、メモリ機能を実現する場合のみ必要であり、通常のコピー機能を実現することだけを考えれば、必要とはならない。更に、時計４０７は、ある特定の時間になったら、機械をブートしたり、シャットダウンするようなウィークリータイマ機能を実現する場合のみ必要である。また、人体検知センサ４０４は予熱モード時に機械の前にユーザが近づいてきた時に自動的に予熱モードを解除する機能を実現する場合のみ必要であり、ＣＳＳ４０８は、遠隔診断、すなわち、機械のエラーが発生した場合は自動的にサービスセンターに通報したり、機械の実行状態／使用状態を遠隔地からモニタ（監視）する機能であるため、このような機能が必要な場合のみ装着されればよい。このメモリユニット４０９は、圧縮ブロック４１０と、ＤＲＡＭブロック４１１と、ＤＡＭブロック４１２と、により構成される。
【００５３】
図８は、本発明の実施形態である画像形成装置の第２のハード構成例を示すブロック図である。図８にしめされるハード構成は、画像読み取り部５０と、画像書き込み部５７と、システムコントローラ４０６と、メモリユニット４０９と、利用者制限器機４０３と、人体検知センサ４０４と、遠隔診断装置（ＣＳＳ）４０８と、時計４０７と、から構成しているが、メモリユニット４０９の構成にＣＰＵ４１３が含まれて構成されている点と、画像書き込み部５７と画像読み取り部５０とメモリユニット４０９とを制御信号によりコントロールする点が異なる。
【００５４】
ここで、本発明の実施形態において用いられる用語の補足説明をする。
【００５５】
「画像読み取り装置」及び「画像読み取り部」は、光源から射出される光を原稿に照射し、その反射光を「固体撮像素子＝ＣＣＤ」で電気信号に変換して必要な画像処理を行う機能を持った装置が使用されている。ここでの必要な画像処理とは、量子化あるいはＣＣＤ（固体撮像素子）により電気信号に変換されたアナログデータを２値あるいは多値データに変換するものである。
【００５６】
「シェーディング補正」は、原稿を照射する光源の照射ムラやＣＣＤの感度ばらつきを補正するものである。
【００５７】
「ＭＴＦ補正」は、光学系によるボケを補正するものである。
【００５８】
「変倍処理」は、画像の読み取り密度を変化させ、読み取った画像データを用いてデータ補間する等の処理を行うものである。
【００５９】
「画像形成装置」及び「画像書き込み部」は、デジタルＰＰＣ（普通紙複写機）において、電気信号で送られた画像イメージを電子写真、感熱、熱転写、インクジェット等の手段により普通紙あるいは感熱紙等に形成する装置である。
【００６０】
「ビデオ信号」及び「画像データ」は、上述の画像読み取り装置により変換された画像の電気信号、上述の画像形成装置へ入力される画像の電気信号、及び、画像の電気信号と同期をとるための信号をまとめて「ビデオ信号」あるいは「画像データ」と表現する。
【００６１】
「拡張機能」、「アプリ」、「メモリ機能」、「メモリユニット」に関し、デジタルＰＰＣの大きな特徴は、画像を電気信号に変換して読み込み、電気信号を画像形成装置において復元するというものである。このとき読み取った電気信号を様々に変化、伝達する手段を持つことによって、従来のアナログＰＰＣ以外の分野に応用可能となる。ＦＡＸ、ページプリンタ、スキャナ、ファイルシステムなどの機能を実現できるほか、最近では、ＰＰＣ機能の実行時においても、読み取った画像データを一旦、ＤＲＡＭなどの記憶装置に記憶させ、必要に応じて画像データを読み出すことによって、複数の複写時には１スキャンで複数プリントを実行したり、あるいは、複数の原稿を１枚の転写紙にプリントする機能（＝以下メモリ機能）等も実現されている。これらのデジタルＰＰＣシステムならでは実現できる機能を「拡張機能」あるいは「アプリ」と表現する。尚、本発明において、メモリユニットは、ネットワーク上にある装置間の画像データ転送時の緩衝手段としても利用している。
【００６２】
「システムコントーローラ」及び「システム」は、複写モードを実行する上で、画像書き込み部で画像形成するために、紙搬送処理、電子写真プロセス処理、異常状態や給紙カセット状態（紙の有無など）等の機内監視、及び、画像読み取り部で画像を読み取るためにスキャナ動作や光源のＯＮ／ＯＦＦなどを制御するコントローラを総称して「システムコントローラ」と表現する。
【００６３】
さらに、最近のデジタルＰＰＣでは拡張機能を１つ搭載するのみではなく複数アプリを同時搭載するようになってきた。このように、１つの資源を共有するデジタルＰＰＣを「システム」と表現し、このシステムを制御するコントローラを「システムコントローラ」と表現する場合もある。
【００６４】
「資源」及び「リソース」は、複数のアプリから共有される機能ユニット単位を「資源」、「リソース」と表現する。上述のシステムコントローラは、このリソース単位でシステム制御を行っている。本件のデジタルＰＰＣで管理している資源は、「画像読み取り装置」、「画像形成装置」、「操作部」、「メモリ」、「周辺機（ＡＤＦ、ソーター、自動両面ユニットなど）」などがある。
【００６５】
［利用者制限］は、特に電子写真プロセスを使用しているデジタルＰＰＣは、消費量が多いため、無制限に使用を許可したくない場合がある。このとき、「利用者」を特定、限定、管理するために、「コインラック」、「キーカウンタ」、「キーカード」、「プリペードカード」、等の「利用者制限機器」や「暗証コード」等を使用する。
【００６６】
［ユーザ設定］は、システムが複雑になると、ユーザ毎の個別対応が必要となる。工場出荷時にこれらの対応を全て満足することは不可能であるため、市場での対応が不可欠となる。従って、通常は、不揮発ＲＡＭを装備し客の要求に応じたシステム設定を可能としているが、この機能を「ユーザ設定」と表現する。
【００６７】
［アイドル状態］は、ユーザよる操作が行われていない状態が一定期間継続した状態を「アイドル状態」、それ以外の状態を「ビジー状態」と表現する。「ビジー状態」から「アイドル状態」に遷移するまでの時間はユーザ設定可能である。例えば、複写動作中はもちろん、複写動作が終了しても一定期間、ユーザによる無操作状態が継続しないと「アイドル状態」には遷移しない。
【００６８】
［ウィークリータイマ］は、各曜日ごとに設定されたＯＮ／ＯＦＦ時間にあわせ電源をＯＮ／ＯＦＦする機能。この機能のために時計モジュールを時刻合わせするための操作と各曜日ごとにＯＮ／ＯＦＦ時間を設定する操作が必要である。
【００６９】
［予熱］は、定着温度を一定温度（たとえば１０℃）下げて制御し、操作部表示を消すことにより、消費電力を節約するモードである。このモードの設定は、操作部でのキー入力や、機械設定によっては動作および操作が無くなってから一定時間後に自動的に設定される。また、このモードの解除は、操作部でのキー入力や、機械設定によって人体検知センサにより機械の前に人が立ったことを検出したときに解除される。
【００７０】
「リロード」は、定着温度が定着可能温度に到達しコピーが可能である状態をリロードという。
【００７１】
［割り込みモード］は、コピー動作実行中および操作中において一時的にコピー作業を割り込んでコピーをするときのモードである。このモードを設定することによりその前のコピーモード、およびコピー途中であればその途中経過情報を不揮発ＲＡＭに記憶し、割り込みモードに移行し、モードを初期化する。コピー動作実行後、割り込みモードを解除すると、不揮発ＲＡＭに記憶したモードおよび情報を戻して割り込みモード設定前の状態を復帰させ、再スタートにて、割り込み前のモードを継続することができる。このモードの設定／解除は操作部のキーにて行うことができる。
【００７２】
「試しコピーモード」は、ソートモードで複数部のコピー条件が設定されていた場合に、原稿読み取りを行い、１部のみ出力動作を行うモードである。
【００７３】
「ワンタッチジョブメモリモード」は、画像出力動作を中断し、画像出力に係わるデ−タをメモリに退避して電源を遮断し、次回の電源投入時に画像出力データを復帰させ、画像出力動作を再開するモードである。
【００７４】
操作部２００上のワンタッチジョブメモリキー２０９が押下されると、現在出力している部の最終転写紙の作像が終了した時点で画像出力を中断させ、画像出力に係わるデータとして、操作設定条件、原稿枚数、出力部数、画像データとの関連づけを示すデータ等をメモリに退避させて遮断モードに移行する。画像データに関しては、原稿読み取り時に１次圧縮、２次圧縮され２次記憶装置（例えばハードディスク）に保存されているものとする。
【００７５】
遮断モードとは、電源スイッチＯＦＦによる全ての電源供給を遮断するものではなく、必要最小限の基板には電源が供給されるが、定着系、書き込み系、読み込み系、操作部表示など電力消費の大きい部分への電源供給を遮断する状態とする。遮断モードからの復帰は操作部上に存在する図示されない電源キーの押下により行われる。
【００７６】
大容量メモリ（２次記憶装置）に保存された画像データは、画像データとの関連づけを示す画像出力データが存在しないと、もとの画像に戻すことは不可能に近い。そのため、通常コピー動作ではジョブ終了時に大容量メモリの消去は行わず、画像出力データの消去のみを行っている。大容量メモリでは上書きされることにより、前のデータが消去される。
【００７７】
画像出力データが存在する場合は、大容量メモリ上の関連する画像データはマスク処理が行われ、他のジョブの画像データにより上書きされることはない。
【００７８】
画像形成装置において、ユーザ管理機能が設定されている場合は、図９に示されるようにユーザコードの入力もしくはそれに相当する課金装置（キーカードやキーカウンター）のセットを促す画面が表示される。
【００７９】
ユーザコードの入力が行われ、登録されているユーザコードと一致した場合、もしくは該当する課金装置のセットが行われた場合に、図１４に示されるように画像出力の条件設定操作が許可される。
【００８０】
画像出力の条件設定操作が行われ、原稿がセットされ、開始操作（例えばスタートキー押下）が指示されると、所定の条件で原稿画像を読み込み、画像メモリで画像処理が行われ、画像出力動作が行われる。また、このとき画像データは圧縮され、大容量メモリ（例えばハードディスク）に記憶される。
【００８１】
ワンタッチジョブメモリの設定操作（例えばワンタッチジョブメモリキー押下）が行われると、原稿を全て読み取った後であるか、出力されていない部数が存在するかの判断を行う。ワンタッチジョブメモリの動作条件を満たしている場合、部数の切れ目となる部の最後のページが出力されると、画像出力を一時停止させる。この時にワンタッチジョブメモリを指示したユーザコード、画像出力の設定条件および出力した部数など画像出力に係わるデータを不揮発メモリに退避する。画像出力に係わるデータが不揮発メモリに退避されると、電源の遮断動作を行う。
【００８２】
図１５に電源遮断が行われるまでのフローチャートが示されている。
まず、ワンタッチジョブメモリキーが押下されたかの判断を行う（ステップＳ１）。ワンタッチジョブメモリキーが押下されていなければ、▲１▼へ進む。ワンタッチジョブメモリキーが押下されていれば、原稿の読み取りが終了しているかの判断を行う（ステップＳ２）。原稿の読み取りが終了していなければ、▲１▼へ進む。原稿の読み取りが終了していれば、未出力部数が存在するかの判断を行う（ステップＳ３）。未出力部数が存在しなければ、▲１▼へ進む。未出力部数が存在すれば、現在出力している部数の切れ目まで画像出力が行われたかの判断を行う（ステップＳ４）。
【００８３】
ステップＳ４において、画像出力が部数の切れ目まで行われていない場合は、画像出力動作を継続し（ステップＳ５）、部数の切れ目を確認するまで画像出力動作を継続する。
【００８４】
ステップＳ４において、画像出力が部数の切れ目まで行われていれば、画像出力動作を停止し（ステップＳ６）、画像出力に係わるデータおよびユーザコードを不揮発メモリに退避する（ステップＳ７）。不揮発性メモリに出力データを退避させた後、電源遮断動作を開始する（ステップＳ８）。
【００８５】
次に、ワンタッチジョブメモリ機能により電源遮断動作が行われ、次回電源投入時の動作例１を示す。
【００８６】
電源が遮断された後、再度電源を投入しようとすると、図９に示されるユーザコード入力画面が表示される。入力されたユーザコードとワンタッチジョブメモリ機能により格納された画像のユーザコードが一致すれば、不揮発メモリから画像出力データを復帰させ、画像データを大容量メモリから画像メモリにデータ伸長して画像出力動作を開始し、図１０または図１１に示される画面を表示する。画像出力中にＣ／Ｓキー等でジョブ中断が行われた際には、図１２に示されるように、印刷を継続するか否かの警告画面が表示される。ここで画像出力が中止されると、画像メモリの消去は行うが、画像出力が終了しなかったとみなし、不揮発メモリの内容は消去せず、次回のユーザコード入力時に画像出力動作を行う。画像出力動作が全て終了すると、不揮発メモリの画像出力データおよび画像メモリの画像データを消去する。
【００８７】
電源投入時が行われた際の動作例１を図１６に基づいて説明する。
電源投入時に初期化を行い、ユーザコード入力画面の表示を行う（ステップＳ１０１）。続いて、ユーザコードのキー入力処理を行う（ステップＳ１０２）。ユーザコードの確定操作（例えば＃キー押下）が行われたかの判断し（ステップＳ１０３）、確定操作が行われていなければ、ステップＳ１０２に戻りキー入力処理を継続する。
【００８８】
ステップＳ１０３において、ユーザコードの確定操作が行われ、登録されているユーザコードと一致するものがあるかどうかの判断を行う（ステップＳ１０４）。一致するものがなければ、ステップＳ１０２に戻りキー入力処理を継続する。
【００８９】
入力されたユーザコードと登録されているユーザコードとが一致した場合、ワンタッチジョブメモリにより中断されたジョブが不揮発メモリに格納されているかの判断を行う（ステップＳ１０５）。該当するジョブがメモリに存在しない時は、▲２▼へ進み通常コピー動作に移行する。
【００９０】
ステップＳ１０５において、中断されたジョブが存在する時は、不揮発メモリから画像出力データを復帰させ、呼び出したモード設定を操作画面に表示する（ステップＳ１０６）。
【００９１】
呼び出された画像出力データにより、画像出力動作が行われ（ステップＳ１０７）、画像出力動作中にジョブ中断操作（例えばＣ／Ｓキー押下）が行われたかの判断を行う（ステップＳ１０８）。
【００９２】
ジョブ中断操作が行われた際には（ステップＳ１０８／ＮＯ））、ジョブ中断画面を表示し（ステップＳ１０９）、ジョブを継続するか否かの判断を行う（ステップＳ１１０）。ジョブ中止が選択された場合は、▲２▼に進み画像メモリを消去する。
【００９３】
画像出力動作中にジョブ中断操作が行われていなければ（ステップＳ１０８／ＹＥＳ）、画像出力が終了したかの判断を行う（ステップＳ１１１）。画像出力が終了していなければ（ステップＳ１１１／ＮＯ）、ステップＳ１０７へ戻り画像出力動作を継続する。画像出力が終了したのならば（ステップＳ１１１／ＹＥＳ）、画像メモリの消去および不揮発メモリの消去を行Ｕ（ステップＳ１１２）。
【００９４】
次に、ワンタッチジョブメモリ機能により電源遮断動作が行われ、次回電源投入時の動作例２を示す。
【００９５】
電源が遮断された後、再度電源を投入しようとすると、図９に示されるユーザコード入力画面が表示される。入力されたユーザコードとワンタッチジョブメモリ機能により格納された画像のユーザコードが一致すれば、不揮発メモリから画像出力データを復帰させ、画像データを大容量メモリから画像メモリにデータ伸長してモード設定を呼び出し、図１１に示される操作画面を表示する。ここで、スタートキーが押下されれば、呼び出された画像メモリとモード設定により、図１０に示される画面を表示し、画像出力動作を開始する。
【００９６】
画像出力前や画像出力中にＣ／Ｓキー等でジョブ中断が行われた際には、図１２に示されるように、継続するか否かの警告画面を表示する。ここで画像出力が中止されると、画像メモリの消去は行うが、画像出力が終了しなかったとみなし、不揮発メモリの内容は消去せず、次回のユーザコード入力時に画像出力動作を行う。画像出力動作が全て終了すると、不揮発メモリの画像出力データおよび画像メモリの画像データを消去する。
【００９７】
電源投入が行われた際の動作例２を図１７に基づいて説明する。
電源投入時に初期化を行い、ユーザコード入力画面の表示を行う（ステップＳ２０１）。続いて、ユーザコードのキー入力処理を行う（ステップＳ２０２）。ユーザコードの確定操作（例えば＃キー押下）が行われたかの判断し（ステップＳ２０３）、確定操作が行われていなければ、ステップＳ２０２に戻りキー入力処理を継続する。
【００９８】
ステップＳ２０３において、ユーザコードの確定操作が行われ、登録されているユーザコードと一致するものがあるかどうかの判断を行う（ステップＳ２０４）。一致するものがなければ、ステップＳ２０２に戻りキー入力処理を継続する。
【００９９】
入力されたユーザコードと登録されているユーザコードとが一致した場合、ワンタッチジョブメモリにより中断されたジョブが不揮発メモリに格納されているかの判断を行う（ステップＳ２０５）。該当するジョブがメモリに存在しない時は、▲３▼へ進み通常コピー動作に移行する。
【０１００】
ステップＳ２０５において、中断されたジョブが存在する時は、不揮発メモリから画像出力データを復帰させ、呼び出したモード設定を操作画面に表示する（ステップＳ２０６）。
【０１０１】
次に、スタートキーが押下されたかの判断を行う（ステップＳ２０７）。スタートキーが押下されていなければ（ステップＳ２０７／ＮＯ）、ジョブ中断操作（例えばＣ／Ｓキー押下）が行われたかの判断を行う（ステップＳ２０８）。ジョブ中断操作が行われていなければ（ステップＳ２０８／ＮＯ）、待機状態となり、ステップＳ２０７に戻り再度スタートキーが押下されたかの判断を行う。
【０１０２】
ステップＳ２０７において、スタートキーが押下されれば（ステップＳ２０７／ＹＥＳ）、呼び出された画像出力データにより、画像出力動作が行われる（ステップＳ２０９）。
【０１０３】
ステップＳ２０８において、ジョブ中断操作が行われている場合には（ステップＳ２０８／ＹＥＳ）、▲４▼へ進む。
【０１０４】
ステップＳ２０９において、画像出力動作中にジョブ中断操作が行われたかの判断を行う（ステップＳ２１０）。画像出力前や画像出力動作中にジョブ中断操作が行われた際には（ステップＳ２１０／ＮＯ）、ジョブ中断画面を表示する（ステップＳ２１１）。
【０１０５】
次に、ジョブを継続するか否かの判断を行う（ステップＳ２１２）、ジョブ中止が選択された場合は（ステップＳ２１２／ＮＯ）、▲３▼へ進み画像メモリを消去する。
【０１０６】
ステップＳ２１０において、画像出力動作中にジョブ中断操作が行われていなければ（ステップＳ２１０／ＹＥＳ）、画像出力が終了したかの判断を行う（ステップＳ２１３）。画像出力が終了していなければ（ステップＳ２１３／ＮＯ）、ステップＳ２０９に戻り画像出力動作を継続する。
【０１０７】
画像出力が終了したのならば（ステップＳ２１３／ＹＥＳ）、画像メモリの消去および不揮発メモリの消去を行う（ステップＳ２１４）。
【０１０８】
次に、ワンタッチジョブメモリ機能により電源遮断動作が行われ、次回電源投入時の動作例３を示す。
【０１０９】
電源が遮断された後、再度電源を投入しようとすると、図９に示されるユーザコード入力画面が表示される。ここで、試しコピーキーが押下されれば、呼び出された画像メモリとモード設定により、画像出力動作を１部行う。１部の画像出力動作が終了すると、図１３に示されるように、継続するか否かの警告画面を表示する。継続されれば、残りの部数の画像出力動作を行う。画像出力が中止されると、画像メモリの消去は行うが、画像出力が終了しなかったとみなし、不揮発メモリの内容は消去せず、次回の当ユーザコード入力時に画像出力動作を行う。次回の出力動作では、試しコピーにより出力された１部数は考慮されず、不揮発メモリに格納されている部数で行われる。
【０１１０】
スタートキーが押下されれば、呼び出された画像メモリとモード設定により、図１０に示される画面を表示し、画像出力動作を開始する。画像出力前や画像出力中にＣ／Ｓキー等でジョブ中断が行われた際には、図１２に示されるように、継続するか否かの警告画面を表示する。ここで画像出力が中止されると、画像メモリの消去は行うが、画像出力が終了しなかったとみなし、不揮発メモリの消去せず、次回の当ユーザコード入力時に画像出力動作を行う。画像出力動作が全て終了すると、不揮発メモリの画像出力データおよび画像メモリの画像データを消去する。
【０１１１】
電源投入が行われた際の動作例３を図１８に基づいて説明する。
電源投入時に初期化を行い、ユーザコード入力画面の表示を行う（ステップＳ３０１）。続いて、ユーザコードのキー入力処理を行う（ステップＳ３０２）。ユーザコードの確定操作（例えば＃キー押下）が行われたかの判断し（ステップＳ３０３）、確定操作が行われていなければ、ステップＳ３０２に戻りキー入力処理を継続する。
【０１１２】
ステップＳ３０３において、ユーザコードの確定操作が行われ、登録されているユーザコードと一致するものがあるかどうかの判断を行う（ステップＳ３０４）。一致するものがなければ、ステップＳ３０２に戻りキー入力処理を継続する。
【０１１３】
入力されたユーザコードと登録されているユーザコードとが一致した場合、ワンタッチジョブメモリにより中断されたジョブが不揮発メモリに格納されているかの判断を行う（ステップＳ３０５）。該当するジョブがメモリに存在しない時は、▲５▼へ進み通常コピー動作に移行する。
【０１１４】
ステップＳ３０５において、中断されたジョブが存在する時は、不揮発メモリから画像出力データを復帰させ、呼び出したモード設定を操作画面に表示する（ステップＳ３０６）。
【０１１５】
次に、試しコピーキーが押下されたかの判断を行う（ステップＳ３０７）。試しコピーキーが押下されていれば（ステップＳ３０７／ＹＥＳ）、１部数の画像出力動作を行う（ステップＳ３０８）。続いて、残りの部数の画像出力動作の継続操作が行われたかの判断を行う（ステップＳ３０９）。画像出力動作の中止が選択されれば（ステップＳ３０９／ＮＯ）、▲５▼へ進み画像メモリを消去する。
【０１１６】
画像出力動作の継続が選択されれば（ステップＳ３０９／ＹＥＳ）、▲６▼へ進み残りの部数の画像出力動作を行う。
【０１１７】
ステップＳ３０７において、試しコピーキーが押下されていなければ（ステップＳ３０７／ＮＯ）、スタートキーが押下されたかの判断を行う（ステップＳ３１０）。スタートキーが押下されていなければ（ステップＳ３１０／ＮＯ）、ジョブ中断操作（例えばＣ／Ｓキー押下）が行われたかの判断を行い（ステップＳ３１１）、ジョブ中断操作が行われていなければ（ステップＳ３１１／ＮＯ）、待機状態となり、ステップＳ３０７へ戻り再度試しコピーキーが押下されたかの判断を行う。
【０１１８】
スタートキーが押下されれば（ステップＳ３１０／ＹＥＳ）、呼び出された画像出力データにより、画像出力動作が行われる（ステップ３１２）。この画像出力動作中にジョブ中断操作が行われたかの判断を行う（ステップＳ３１３）。
【０１１９】
ステップＳ３１３において、画像出力前や画像出力動作中にジョブ中断操作が行われた際には（ステップＳ３１３／ＮＯ）、ジョブ中断画面を表示する（ステップＳ３１４）。
【０１２０】
次に、ジョブを継続するか否かの判断を行い（ステップＳ３１５）、ジョブ中止が選択された場合は（ステップ３１５／ＮＯ）、▲５▼へ進み画像メモリを消去する。
【０１２１】
画像出力動作中にジョブ中断操作が行われていなければ、画像出力が終了したかの判断を行う。画像出力が終了していなければ、画像出力動作を継続する（ステップＳ３１６）。画像出力が終了したのならば（ステップＳ３１６／ＹＥＳ）、画像メモリの消去および不揮発メモリの消去を行う（ステップＳ３１７）。
【０１２２】
【発明の効果】
以上の説明より明らかなように、本発明の画像形成装置及びその方法によれば、ジョブ開始時に入力したユーザコードを画像出力に係わるデータとともに不揮発メモリに退避させ電源遮断を行い、電源投入時に入力されたユーザコードが退避させておいたものと一致する場合のみ、不揮発メモリから画像出力に係わるデータを復帰させ、操作部にジョブの設定内容および進捗状態を表示させ、画像出力動作を再開させることにより、ジョブのユーザ管理を正しく行うことができる。
【０１２３】
また、本発明の画像形成装置及びその方法によれば、ジョブ開始時に入力したユーザコードを画像出力に係わるデータとともに不揮発メモリに退避させ電源遮断を行い、電源投入時に入力されたユーザコードが退避させておいたものと一致する場合のみ、不揮発メモリから画像出力に係わるデータを復帰させ、操作部にジョブの設定内容および進捗状態を表示させ、画像出力動作を再開させるか否かを選択させることにより、ジョブのユーザ管理を正しく行うとともに、ユーザの必要な時に画像出力動作を行うことができる。
【０１２４】
さらに、本発明の画像形成装置及びその方法によれば、ジョブ開始時に入力したユーザコードを画像出力に係わるデータとともに不揮発メモリに退避させ電源遮断を行い、電源投入時に入力されたユーザコードが退避させておいたものと一致する場合のみ、不揮発メモリから画像出力に係わるデータを復帰させ、操作部にジョブの設定内容および進捗状態を表示させ、試しコピーを許可し、画像出力動作を再開させるか否かを選択させることにより、ジョブのユーザ管理を正しく行うとともに、ジョブ内容の確認とユーザの必要な時に画像出力動作を行うことができる。
【図面の簡単な説明】
【図１】本発明の実施形態である画像形成装置を示す概略断面図である。
【図２】本発明の実施形態における操作部を示す平面図である。
【図３】本発明の実施形態における操作部の表示例を示す平面図である。
【図４】本発明の実施形態である画像形成装置の構成を示すブロック図である。
【図５】本発明の実施形態におけるメモリコントローラと画像メモリとを示すブロック図である。
【図６】本発明の実施形態におけるセレクタにおける１ページ分の画像信号を説明する図である。
【図７】本発明の実施形態である画像形成装置の第１のハード構成を示すブロック図である。
【図８】本発明の実施形態である画像形成装置の第２のハード構成を示すブロック図である。
【図９】本発明の実施形態における操作部の第１の表示例を示す平面図である。
【図１０】本発明の実施形態における操作部の第２の表示例を示す平面図である。
【図１１】本発明の実施形態における操作部の第３の表示例を示す平面図である。
【図１２】本発明の実施形態における操作部の第４の表示例を示す平面図である。
【図１３】本発明の実施形態における操作部の第５の表示例を示す平面図である。
【図１４】本発明の実施形態における操作部の第６の表示例を示す平面図である。
【図１５】本発明における電源遮断時のフローチャートである。
【図１６】本発明の電源投入時における第１の動作例を示すフローチャートである。
【図１７】本発明の電源投入時における第２の動作例を示すフローチャートである。
【図１８】本発明の電源投入時における第３の動作例を示すフローチャートである。
【符号の説明】
１  自動原稿送り装置（ＡＤＦ）
２  原稿台
３  給紙ローラ
４  給送ベルト
５  排送ローラ
６  コンタクトガラス
７  原稿セット検知
８  第１トレイ
９  第２トレイ
１０  第３トレイ
１１  第１給紙ユニット
１２  第２給紙ユニット
１３  第３給紙ユニット
１４  縦搬送ユニット
１５  感光体
１６  搬送ベルト
１７  定着ユニット
１８  排紙ユニット
５０  読み取り部
５１  露光ランプ
５２  第１ミラー
５３  レンズ
５４  ＣＣＤイメージセンサ
５５  第２ミラー
５６  第３ミラー
５７  書き込み部
５８  レーザ出力ユニット
５９  結像レンズ
６０  ミラー
１００  フィニシャ
１０１  分岐偏向板
１０２  スタッカ搬送ローラ
１０３  スタッカ排紙ローラ
１０４  スタッカトレイ
１０５  ステープラ搬送ローラ
１０６  ステープラ
１０７  ステープラ排紙ローラ
１０８  ステープルトレイ
１０９  落下ストッパ
１１０  落下トレイ
１１１  両面給紙ユニット
１１２  分岐爪
【図１】
0004076195.tif 000002
【図２】
0004076195.tif 000003
【図３】
0004076195.tif 000004
【図４】
0004076195.tif 000005
【図５】
0004076195.tif 000006
【図６】
0004076195.tif 000007
【図７】
0004076195.tif 000008
【図８】
0004076195.tif 000009
【図９】
0004076195.tif 000010
【図１０】
0004076195.tif 000011
【図１１】
0004076195.tif 000012
【図１２】
0004076195.tif 000013
【図１３】
0004076195.tif 000014
【図１４】
0004076195.tif 000015
【図１５】
0004076195.tif 000016
【図１６】
0004076195.tif 000017
【図１７】
0004076195.tif 000018
【図１８】
0004076195.tif 000019